(57)【要約】【課題】  両側に支柱を有する支持フレーム又は間仕切パネルからなる脚体の上端に天板を水平に装着したカウンター什器において、中空構造の天板でも該天板の上面に載荷重による凹みや撓みが発生することがないカウンター什器における天板の支持装置を提供する。【解決手段】  天板２は上面板１３と下面板１４とを備えた中空構造であり、天板の下面を支持フレーム１又は脚体の表裏両側で上端部に装着したブラケット１０に取付けるとともに、上面板の下面で幅方向中央部に長手方向に沿って固定した補強部材１５を、下面板を介して支持フレーム又は脚体の上端に載置した。【選択図】        図４
2007044312.tif 000002
【特許請求の範囲】
【請求項１】
両側に支柱を有する支持フレーム又は間仕切パネルからなる脚体の上端に天板を水平に装着したカウンター什器であって、前記天板は上面板の下面で幅方向中央部に長手方向に沿って固定した補強部材を有し、前記天板を前記支持フレーム又は脚体の表裏両側で上端部に装着したブラケットに取付けるとともに、前記補強部材を前記支持フレーム又は脚体の上端に載置したことを特徴とするカウンター什器における天板の支持装置。
【請求項２】
前記天板は上面板と下面板とを備えた中空構造であり、前記天板の下面を前記支持フレーム又は脚体の表裏両側で上端部に装着したブラケットに取付けるとともに、前記上面板の下面で幅方向中央部に長手方向に沿って固定した補強部材を、前記下面板を介して前記支持フレーム又は脚体の上端に載置してなる請求項１記載のカウンター什器における天板の支持装置。
【請求項３】
前記支持フレームは、下端に接地部材を固定した支柱を所定間隔を置いて配し、隣接する両支柱の少なくとも上端間に上ビームを横架し、前記支柱の表裏両側に前記ブラケットのフックを嵌合係止する複数の係止孔を形成したものであり、前記上ビームを介して複数の支柱を連結可能な構造である請求項１又は２記載のカウンター什器における天板の支持装置。
【請求項４】
前記天板は、化粧板と裏板とからなり、前記化粧板は上面板の前後縁に下方に折曲して前板と後板を形成するとともに、該前板と後板にそれぞれ内方へ折曲して連結片を形成し、前記上面板の下面に前記補強部材を固着したものであり、前記裏板は下面板の前後縁部に前記化粧板の連結片に接合する受片を折曲形成したものであり、前記化粧板と裏板を接合して前記補強部材を下面板に当接した状態で前記連結片と受片をネジ止めしてなる請求項１〜３何れかに記載のカウンター什器における天板の支持装置。
【請求項５】
前記上ビームは表裏一側が開放した断面略コ字形部材であり、該上ビームに載置した前記下面板を該上ビーム内からネジ止めしてなる請求項１〜４何れかに記載のカウンター什器における天板の支持装置。
【発明の詳細な説明】
【技術分野】
【０００１】
本発明は、カウンター什器における天板の支持装置に係わり、更に詳しくは両側に支柱を有する支持フレーム又は間仕切パネルからなる脚体の上端に天板を水平に支持したカウンター什器における天板の支持装置に関するものである。
【背景技術】
【０００２】
本出願人の先願に係る下記の特許文献１、２には、脚体の上端に側面視Ｔ字状にカウンター天板をブラケットにて支持する構造が開示されている。特許文献１には、表裏両面の少なくとも上部に切欠口を有する支柱を両側に位置させた間仕切パネルからなる脚体と、前記脚体を下面の長手方向に配向させて設ける天板と、前記切欠口に嵌合係止するフックと前記天板を載置する支持片を備えた連結金具と、よりなり、前記脚体の支柱を挟んで表裏両側に一対の連結金具を取付け且つそれらの支持片上面を脚体の上端面と面一となして位置させた天板下面に締着固定した組立て式カウンターデスクが開示されている。
【０００３】
また、特許文献２には、一連に接続してなる高い背のパネル並びに低い背のパネルと、前記低い背のパネルの上方に架設または上端縁に載置され、前記高い背のパネルの側端縁を受け入れる嵌合凹部を一端に有するカウンターテーブルと、前記カウンターテーブルの下面適所に設け、パネルの一部に係合支持された単又は複数の支持用ブラケットと、よりなるパネル上へのカウンターテーブル取付構造が開示されている。
【０００４】
しかし、カウンター天板若しくはカウンターテーブルの構造自体については記載がなく、間仕切パネルからなる脚体の上端にどのような構造で荷重を受けて支持されているかの具体的記載はなされていない。木製等の中実構造の天板であれば、問題となることはないが、スチール製若しくは木製のフラッシュボード等の中空構造の天板の場合には、その上に重い書籍をおいたり、肘をついたりすると、上面に凹みや撓みが発生するので、荷重の支持構造は重要である。
【特許文献１】実公平２−４６３４号公報（第１図）
【特許文献２】実用新案登録第２５４１０７６号公報（図１、図３）
【発明の開示】
【発明が解決しようとする課題】
【０００５】
そこで、本発明が前述の状況に鑑み、解決しようとするところは、両側に支柱を有する支持フレーム又は間仕切パネルからなる脚体の上端に天板を水平に装着したカウンター什器において、中空構造の天板でも該天板の上面に載荷重による凹みや撓みが発生することがないカウンター什器における天板の支持装置を提供する点にある。
【課題を解決するための手段】
【０００６】
本発明は、前述の課題解決のために、両側に支柱を有する支持フレーム又は間仕切パネルからなる脚体の上端に天板を水平に装着したカウンター什器であって、前記天板は上面板の下面で幅方向中央部に長手方向に沿って固定した補強部材を有し、前記天板を前記支持フレーム又は脚体の表裏両側で上端部に装着したブラケットに取付けるとともに、前記補強部材を前記支持フレーム又は脚体の上端に載置したカウンター什器における天板の支持装置を構成した(請求項１)。
【０００７】
更に具体的には、前記天板は上面板と下面板とを備えた中空構造であり、前記天板の下面を前記支持フレーム又は脚体の表裏両側で上端部に装着したブラケットに取付けるとともに、前記上面板の下面で幅方向中央部に長手方向に沿って固定した補強部材を、前記下面板を介して前記支持フレーム又は脚体の上端に載置してなることが好ましい（請求項２）。
【０００８】
ここで、前記支持フレームは、下端に接地部材を固定した支柱を所定間隔を置いて配し、隣接する両支柱の少なくとも上端間に上ビームを横架し、前記支柱の表裏両側に前記ブラケットのフックを嵌合係止する複数の係止孔を形成したものであり、前記上ビームを介して複数の支柱を連結可能な構造である(請求項３)。
【０００９】
また、前記天板は、化粧板と裏板とからなり、前記化粧板は上面板の前後縁に下方に折曲して前板と後板を形成するとともに、該前板と後板にそれぞれ内方へ折曲して連結片を形成し、前記上面板の下面に前記補強部材を固着したものであり、前記裏板は下面板の前後縁部に前記化粧板の連結片に接合する受片を折曲形成したものであり、前記化粧板と裏板を接合して前記補強部材を下面板に当接した状態で前記連結片と受片をネジ止めしてなることが好ましい（請求項４）。
【００１０】
そして、前記上ビームは表裏一側が開放した断面略コ字形部材であり、該上ビームに載置した前記下面板を該上ビーム内からネジ止めしてなることがより好ましい(請求項５)。
【発明の効果】
【００１１】
以上にしてなる請求項１に係る発明のカウンター什器における天板の支持装置は、両側に支柱を有する支持フレーム又は間仕切パネルからなる脚体の上端に天板を水平に載置するとともに、天板の下面を前記支持フレーム又は脚体の表裏両側で上端部に装着したブラケットに取付けるカウンター什器において、上面板の下面で幅方向中央部に長手方向に沿って固定した補強部材を、前記支持フレーム又は脚体の上端に載置したので、上面板に加わる載荷重が補強部材を介して支持フレーム又は脚体の上端で支持されるので、該上面板に凹みや撓みが発生することがなく、もって該天板をカウンターとして利用することができるのである。
【００１２】
請求項２によれば、上面板と下面板とを備えた中空構造の天板を用いるにも係わらず、前記上面板の下面で幅方向中央部に長手方向に沿って固定した補強部材を、前記下面板を介して前記支持フレーム又は脚体の上端に載置したので、上面板に加わる載荷重が補強部材と下面板を介して支持フレーム又は脚体の上端で支持されるので、該上面板に凹みや撓みが発生することがなく、もって該天板をカウンターとして利用することができるのである。
【００１３】
請求項３によれば、支持フレームも単柱式書架で使用されている高さが低いものを転用することができるので、低コストでカウンター什器を構成できるのである。
【００１４】
請求項４によれば、天板を安価なスチール製の中空構造のものを用いることができるので、低コストでカウンター什器を構成できるのである。
【００１５】
請求項５によれば、天板が支持フレームに対して持ち上がるのを確実に防止できるので、該天板をガタツキなく支持することができる。
【発明を実施するための最良の形態】
【００１６】
次に、添付図面に示した実施形態に基づき、本発明を更に詳細に説明する。図１は、本発明に係る天板の支持装置を適用したカウンター什器を示し、図２〜図７はその詳細を示し、図中符号１は支持フレーム、２は天板、３は側板、４は支柱、５は上ビーム、６は下ビーム、７は化粧板、８は裏板をそれぞれ示している。
【００１７】
本発明に係るカウンター什器は、支持フレーム１の上端にスチール製の中空構造の天板２の幅方向中央部を載置して取付けるとともに、側端に前記天板２と同幅の側板３を取付けて構成したものであり、前記支持フレーム１には適宜、幕板や棚板等を装着して高さが低い書架としても利用できるものである。
【００１８】
前記支持フレーム１は、図１〜図３に示すように、下端に接地部材９を逆Ｔ字形に固定した支柱４を所定間隔を置いて配し、隣接する両支柱４，４の少なくとも上端間に上ビーム５を横架するとともに、下端間に下ビーム６を横架して構成し、更に前記支柱４の表裏両側に前記天板２を取付けるブラケット１０，…のフック１１，１１を嵌合係止する複数の係止孔１２，…上下方向に一定間隔毎に形成したものである。尚、図示しないが、前記支持フレーム１の両支柱４，４間及び上ビーム５と下ビーム６間に幕板を装着するとともに、前記支柱４，４に他のブラケットを嵌合係止して棚板を装着することも可能である。また、前記支持フレーム１に代えて間仕切パネルからなる脚体を用いることが可能であり、この場合には前記ブラケット１０を間仕切パネルの両側部の目地部に形成した係止孔を利用して嵌合係止することになる。
【００１９】
そして、本発明のカウンター什器における天板の支持装置は、両側に支柱４，４を有する支持フレーム１又は間仕切パネルからなる脚体の上端に天板２を水平に装着したカウンター什器であって、前記天板２は上面板１３と下面板１４とを備えた中空構造であり、前記天板２の下面を前記支持フレーム１又は脚体の表裏両側で上端部に装着したブラケット１０，１０に取付けるとともに、前記上面板１３の下面で幅方向中央部に長手方向に沿って固定した補強部材１５を、前記下面板１４を介して前記支持フレーム１又は脚体の上端に載置したものである。
【００２０】
また、本実施形態では、前記天板２は、図２及び図３に示すように、化粧板７と裏板８とからなっている。前記化粧板７は、前記上面板１３の前後縁に下方に折曲して前板１６と後板１７を形成するとともに、該前板１６と後板１７にそれぞれ内方へ折曲して連結片１８，１８を形成し、前記上面板１３の下面に前記補強部材１５を固着したものである。ここで、前記補強部材１５は、スチール板を折曲形成したものであり、逆台形状の本体部１９の上縁に拡開した固定片２０，２０を形成し、該固定片２０，２０を前記化粧板７の上面板１３の下面にスポット溶接している。また、前記連結片１８は、先端部が上方へ段落ち状に折曲した形状を有している。
【００２１】
また、前記裏板８は、前記下面板１４の前後縁部に前記化粧板７の連結片１８，１８に接合する受片２１，２１を折曲形成したものであり、該受片２１は上方へ段落ち状に折曲した形状を有している。また、前記下面板１４の両側縁には側面板２２を立上げ形成している。
【００２２】
そして、図４及び図５に示すように、前記化粧板７と裏板８を接合して前記補強部材１５の本体部１９を下面板１４に当接した状態で、前記連結片１８，１８と受片２１，２１を重ね合せてネジ２３，…にて連結している。ここで、前記連結片１８と受片２１は、上方へ段落ち状に折曲した形状であるので、前記天板２の下面の前後縁に沿って凹溝が形成され、前記化粧板７と裏板８を連結するネジ２３，…の頭部は前述の凹溝内に位置するので、下方に突出しないのである。
【００２３】
前記ブラケット１０は、基端部に前記支柱４の係止孔１２，…に嵌合係止するフック１１，…を形成するとともに、上端に前記天板２の下面に当接する取付板２４を有し、前記フック１１，…を支柱４の係止孔１２，…に持ち上がり不能に嵌合係止した状態で、前記取付板２４を天板２の下面にネジ２５，…にて連結するのである。また、前記ブラケット１０には、端部用と中間部用の２種類があり、端部用は前記取付板２４が片側にあり、中間部用は前記取付板２４が両側にあり、隣接する天板２，２のそれぞれの下面に連結するのである。
【００２４】
前記上ビーム５は、図３及び図５に示すように、表裏一側が開放した断面略コ字形部材であり、該上ビーム５に載置した前記下面板１４を該上ビーム５内からネジ２６，…にて連結している。ここで、前記下面板１４には、ネジ２６を螺合する下穴２７，…を形成するとともに、前記補強部材１５の下穴２７，…に対応する箇所には、ネジ２６を受け入れる大穴２８を形成している。
【００２５】
しかして、前記天板２を前記支柱４の前後両側に取付けたブラッケト１０，１０に載置してネジ止めするとともに、前記天板２の下面板１４を前記上ビーム５の上面に載置し、該上ビーム５に下面板１４をネジ止めして取付けた状態では、前記上面板１３の下面の長手方向に沿って設けた前記補強部材１５の本体部１９が、前記上ビーム５の上面に下面板１４を介して載置されるので、天板２の上面板１３に加わる載荷重を、補強部材１５、下面板１４を介して支持フレーム１の上ビーム５で支持するのである。尚、前記天板２において、下面板１４を省略した構造、即ち裏板８が存在しない構造の場合には、前記補強部材１５の本体部１９が、直接前記上ビーム５の上面に載置され、該上ビーム５内からネジ２６，…にて補強部材１５を連結する。
【００２６】
また、本実施形態では、隣接する両支柱４，４の上端間と下端間にそれぞれ上ビーム５と下ビーム６をネジ止めにて連結した支持フレーム１を最小単位とし、一方の支柱４の側方に他の上ビーム５と下ビーム６の一端部をネジ止めにて連結するとともに、該上ビーム５と下ビーム６の他端部に新たな支柱４をネジ止め連結することにより、次々と延設することが可能である。また、本実施形態では、前記天板２の長さは、前記最小単位の２倍とし、該天板２の両端を前記ブラケット１０，１０にて支持するとともに、左右中央部に位置する支柱４に取付けたブラケット１０でも支持している。
【００２７】
また、前記支持フレーム１の端部に装着する側板３は、パンチングメタルで形成した外板２９と内板３０とからなり、前記外板２９の両側縁に折曲形成した縁片３１，３１に前記内板３０の両側縁を接合してネジ止めした構造であり、前記内板３０の表面で前後中央部の上下部に突設した係止爪３２，３２を前記支柱４の側面に形成した係合孔３３，３３に係止して装着している。
【００２８】
尚、本発明では、前記補強部材１５を上面板１３の下面に固着して下面板１４に当接させたが、逆に前記補強板１５を下面板１４の上面に固着して上面板１３に当接させるようにすることも可能である。更に、前記天板２をスチール製の中空構造としたが、木製のフラッシュボードのような中空構造としても良い。天板２をフラッシュボードとする場合には、前記上ビーム５に対応する位置に芯材を配置すれば良く、上合板に加わる載荷重が芯材、下合板を介して前記上ビーム５で支持するのである。
【図面の簡単な説明】
【００２９】
【図１】本発明に係る天板の支持装置を適用したカウンター什器の全体斜視図である。
【図２】同じく分解斜視図である。
【図３】同じく要部の拡大分解斜視図である。
【図４】支持フレームで天板を支持した状態の端部位置の縦断側面図である。
【図５】同じく拡大縦断側面図である。
【図６】支持フレームで天板を支持した状態の中央部位置の縦断側面図である。
【図７】支持フレームに側板を装着した状態の縦断正面図である。
【符号の説明】
【００３０】
１  支持フレーム        ２  天板
３  側板                ４  支柱
５  上ビーム            ６  下ビーム
７  化粧板              ８  裏板
９  接地部材            １０  ブラケット
１１  フック            １２  係止孔
１３  上面板            １４  下面板
１５  補強板            １６  前板
１７  後板              １８  連結片
１９  本体部            ２０  固定片
２１  受片              ２２  側面板
２３  ネジ              ２４  取付板
２５  ネジ              ２６  ネジ
２７  下穴              ２８  大穴
２９  外板              ３０  内板
３１  縁片              ３２  係止爪
３３  係合孔
【図１】
2007044312.tif 000003
【図２】
2007044312.tif 000004
【図３】
2007044312.tif 000005
【図４】
2007044312.tif 000006
【図５】
2007044312.tif 000007
【図６】
2007044312.tif 000008
【図７】
2007044312.tif 000009